(57)【要約】【課題】シート側面方向から着座者の身体の表面を通って流れるような風を適切に吹き出せるようにすること。【解決手段】シート表面から風Ａを吹き出すための吹出経路を備える空調シート１であって、着座者の肘置きとなるシート前後方向に延びるアームレスト３Ｂと、アームレスト３Ｂから上方に離れた離間領域上を後ろ上がり状に斜めに延びる斜延部材４と、斜延部材４とアームレスト３Ｂとの間に設定されたアームレスト３Ｂへの肘置きスペースを形成可能な逃がし部（隙間５）と、を有する。斜延部材４が、内部に風Ａを流すことのできる中空状の管路４Ａと、管路４Ａをシート幅方向の内側に開口させて風Ａを吹き出せるようにする吹出口４Ｂと、を有して吹出経路を構成している。【選択図】図２
2019088718.tif 000002
【特許請求の範囲】
【請求項１】
シート表面から風を吹き出すための吹出経路を備える空調シートであって、
着座者の肘置きとなるシート前後方向に延びるアームレストと、
該アームレストから上方に離れた離間領域上を後ろ上がり状に斜めに延びる斜延部材と、
該斜延部材と前記アームレストとの間に設定された前記アームレストへの肘置きスペースを形成可能な逃がし部と、を有し、
前記斜延部材が、内部に風を流すことのできる中空状の管路と、該管路をシート幅方向の内側に開口させて風を吹き出せるようにする吹出口と、を有して前記吹出経路を構成している空調シート。
【請求項２】
請求項１に記載の空調シートであって、
前記斜延部材が、シートバックとシートクッションとの間に両端固定で斜めに架け渡された筋交いフレームとして構成されている空調シート。
【請求項３】
請求項１又は請求項２に記載の空調シートであって、
前記斜延部材が、前記管路内を通して他の管路へと風を送る送風経路ともなっている空調シート。
【請求項４】
請求項１から請求項３のいずれかに記載の空調シートであって、
前記斜延部材が、前記管路内を流れる風を前記吹出口へ向けてシート幅方向の内側に曲げて排出するように案内するガイド部を更に有する空調シート。
【請求項５】
請求項１から請求項４のいずれかに記載の空調シートであって、
前記斜延部材の前記管路が外部に露出する露出部となっている空調シート。
【発明の詳細な説明】
【技術分野】
【０００１】
本発明は、空調シートに関する。詳しくは、シート表面から風を吹き出すための吹出経路を備える空調シートに関する。
【背景技術】
【０００２】
従来、いわゆる空調シートとして、シート表面より風を吹き出させて着座者の快適性を向上させる送風機能を備えたものが知られている（特許文献１）。具体的には、シート内部に風を流通させることのできるダクトが設定されており、同ダクトを通って流された風がシート表面に設定された吹出口より吹き出されるようになっている。
【先行技術文献】
【特許文献】
【０００３】
【特許文献１】国際公開第２０１１／０８３５７９号
【発明の概要】
【発明が解決しようとする課題】
【０００４】
上記従来技術では、吹出口が着座面や背凭れ面上の領域にしか設定されておらず、シート側面方向から着座者の身体の表面を通って流れるような風を吹き出すことができない。本発明は、上記問題を解決するものとして創案されたものであって、本発明が解決しようとする課題は、シート側面方向から着座者の身体の表面を通って流れるような風を適切に吹き出せるようにすることにある。
【課題を解決するための手段】
【０００５】
上記課題を解決するために、本発明の空調シートは次の手段をとる。
【０００６】
第１の発明は、シート表面から風を吹き出すための吹出経路を備える空調シートであって、着座者の肘置きとなるシート前後方向に延びるアームレストと、アームレストから上方に離れた離間領域上を後ろ上がり状に斜めに延びる斜延部材と、斜延部材とアームレストとの間に設定されたアームレストへの肘置きスペースを形成可能な逃がし部と、を有し、斜延部材が、内部に風を流すことのできる中空状の管路と、管路をシート幅方向の内側に開口させて風を吹き出せるようにする吹出口と、を有して吹出経路を構成しているものである。
【０００７】
この第１の発明によれば、内部に風を流すことのできる管路と吹出口とを備える斜延部材をアームレストとの間に逃がし部を介在させて設けることにより、着座者のアームレストに対する肘置きスペースを阻害することなく、シート側面方向から着座者の身体の表面を通って流れるような風を適切に吹き出せるようにすることができる。
【０００８】
第２の発明は、上述した第１の発明において、斜延部材が、シートバックとシートクッションとの間に両端固定で斜めに架け渡された筋交いフレームとして構成されているものである。
【０００９】
この第２の発明によれば、斜延部材によって空調シートのフレーム強度を適切に高めることができる。
【００１０】
第３の発明は、上述した第１又は第２の発明において、斜延部材が、管路内を通して他の管路へと風を送る送風経路ともなっているものである。
【００１１】
この第３の発明によれば、斜延部材を利用して、他の管路への送風経路を合理的に簡素化することができる。
【００１２】
第４の発明は、上述した第１から第３のいずれかの発明において、斜延部材が、管路内を流れる風を吹出口へ向けてシート幅方向の内側に曲げて排出するように案内するガイド部を更に有するものである。
【００１３】
この第４の発明によれば、管路内を流れる風を、ガイド部によって吹出口から適切にシート幅方向の内側に向きを変えて吹き出すことができる。
【００１４】
第５の発明は、上述した第１から第４のいずれかの発明において、斜延部材の管路が外部に露出する露出部となっているものである。
【００１５】
この第５の発明によれば、斜延部材の外部に露出する管路によって、着座者に接触冷感を感じさせられるようにすることができる。したがって、斜延部材の管路を銅やアルミニウム等の熱伝導率の高い材料によって形成することで、より効果的な接触冷感を得られるようにすることができる。
【図面の簡単な説明】
【００１６】
【図１】実施例１の空調シートの概略構成を表した正面図である。
【図２】図１の側面図である。
【図３】図２のＩＩＩ−ＩＩＩ線断面図である。
【図４】斜延部材の管路内構造を表した図２のＩＶ−ＩＶ線断面図である。
【図５】実施例２の空調シートの管路内構造を表した模式図である。
【図６】実施例３の空調シートの概略構成を表した側面図である。
【図７】図６のＶＩＩ−ＶＩＩ線断面図である。
【図８】実施例４の空調シートの概略構成を表した正面図である。
【図９】図８のＩＸ−ＩＸ線断面図である。
【発明を実施するための形態】
【００１７】
以下に、本発明を実施するための形態について、図面を用いて説明する。
【実施例１】
【００１８】
《空調シート１の概略構成について》
始めに、実施例１の空調シート１の構成について、図１〜図５を用いて説明する。なお、以下の説明において、前後上下左右等の各方向を示す場合には、各図中に示されたそれぞれの方向を指すものとする。また、「シート幅方向」と示す場合には、空調シート１の左右方向を指すものとする。
【００１９】
本実施例の空調シート１は、図１〜図２に示すように、自動車の後部側座席として構成されている。上記空調シート１は、着座者の背凭れ部となるシートバック２と、着座部となるシートクッション３と、を備えた構成とされている。上述したシートバック２は、そのシート幅方向の両側部に、前方側に向かって張出状に延びる張出部２Ａを備えた構成とされている。また、上述したシートクッション３も、そのシート幅方向の両側部に、上方側に向かって立壁状に延びる立壁部３Ａを備えた構成とされている。
【００２０】
上述したシートクッション３の両側部に形成された各立壁部３Ａは、それぞれ、着座者の腰部辺りの高さ位置まで延びる形状とされている。それにより、各立壁部３Ａは、それらの天板面が、着座者の肘置きとしての使用に適したアームレスト３Ｂとして機能することができる構成とされている。また、上述したシートバック２の両側部に形成された各張出部２Ａは、着座者の肩口や頭部の位置する高さ位置からは前方側に大きく張り出すが、着座者の肘の位置する高さ位置からは前方側に小さくしか張り出さない形に形成されている。
【００２１】
上記構成により、各張出部２Ａは、着座者の頭部や肩口を両外側から広く包み込める形に張り出しながらも、着座者が各側の肘を上述した各側のアームレスト３Ｂ上に載せるために外側に張り出させる動きを阻害しないようになっている。更に、上述したシートバック２の各側の張出部２Ａの高さ方向の中間部位とシートクッション３の各側の立壁部３Ａの前端部位との間には、それぞれ、アルミニウム製の断面四角状の角パイプ材から成る斜延部材４が一体的に架橋されている。
【００２２】
これら斜延部材４は、図２に示すように、上述した各張出部２Ａの前方側に張り出した先の縁部位と、各立壁部３Ａの上方側に張り出した先の縁部位との間を後下側に凹む凹湾曲状の形で滑らかに繋ぐように架橋されている。そして、各斜延部材４は、それらの各張出部２Ａと繋がれる後上側の端部が各張出部２Ａ内に設けられた図示しない骨格にボルト締結されて固定され、各立壁部３Ａと繋がれる前下側の端部が各立壁部３Ａ内に設けられた図示しない骨格にボルト締結されて固定されている。
【００２３】
上記取り付けにより、各斜延部材４が、シートバック２の各側部とシートクッション３の各側部との間にそれぞれ両端固定で筋交い状に斜めに架け渡された状態として、空調シート１のフレーム強度を適切に高めるように機能するようになっている。また、各斜延部材４は、それらの角パイプの管路４Ａが、各張出部２Ａ内に設けられた図示しない上流側の管路４Ａと各立壁部３Ａ内に設けられた図示しない下流側の管路４Ａとにそれぞれ連通する形に流路接続された状態とされている。それにより、各斜延部材４は、シートクッション３の下部に設けられた空調装置Ｃから上述した各立壁部３Ａ内に設けられた不図示の上流側の管路４Ａへと吹き流された風Ａを、それらの管路４Ａを通して上述した各張出部２Ａ内に設けられた不図示の下流側の管路４Ａへと送り出すことができるようになっている。
【００２４】
上述した各斜延部材４は、上記のようにシートバック２側の各張出部２Ａとシートクッション３側の各立壁部３Ａとの間に斜めに架け渡されていることで、各立壁部３Ａの天板面である各アームレスト３Ｂとの間に着座者が肘を内側から入れて各アームレスト３Ｂ上に載せることのできる肘置きスペースとしての側面視略三角形状の隙間５を形成した状態に設けられている。上記隙間５により、着座者が肘をアームレスト３Ｂ上に載せたり安楽に広げたりするために外側に張り出させても、肘の動きが邪魔されないようになっている。ここで、上記各隙間５がそれぞれ本発明の「逃がし部」に相当する。
【００２５】
上述した各斜延部材４は、それらの管路４Ａが外部に剥き出しとなる形に露出して設けられており、それらのアルミニウム材から成る熱伝導率の高い材料特性によって、着座者に接触温冷感を感じさせることができるようになっている。詳しくは、各斜延部材４は、それらの管路４Ａ内を流れる風Ａの温度に応じて、それらの管路４Ａが熱伝導により温められたり冷やされたりして、それに伴う接触温冷感を着座者に感じさせることができるようになっている。
【００２６】
また、図３に示すように、上述した各斜延部材４の管路４Ａのシート幅方向の内側に面を向ける管壁部分には、それらの管内を流れる風Ａを外部へと吹き出せるようにする吹出口４Ｂが複数貫通して形成されている。これら吹出口４Ｂは、図４に示すように、上述した各斜延部材４の管路４Ａの延びる長さ方向の複数箇所に貫通して形成されている。また、上述した各管路４Ａの各吹出口４Ｂが形成された箇所の下流側の管壁部分には、それぞれ、各吹出口４Ｂの下流側の周壁を管内側へ向かって上流側に斜めに立ち上げるように突出する固定ひれ４Ｃが形成されている。ここで、各固定ひれ４Ｃがそれぞれ本発明の「ガイド部」に相当する。
【００２７】
これら固定ひれ４Ｃは、各管路４Ａ内を上流側から下流側へと流れる風Ａの一部をそれらの上流側面に当てさせることで、これらに当てられた風Ａを各吹出口４Ｂからシート幅方向の内側へ向けて吹き出せるように曲げるガイド部として機能するものとなっている。これら固定ひれ４Ｃにより、各吹出口４Ｂが各管路４Ａ内を流れる風Ａの流通方向とは交差する方向に開口した形状となっていても、各管路４Ａ内を流れる風Ａを各吹出口４Ｂの開口方向に曲げて、各吹出口４Ｂからシート幅方向の内側に向けてより真っ直ぐに風Ａを流すことができるようになっている。
【００２８】
したがって、図３に示すように、上述した各吹出口４Ｂから吹き出された風Ａを、各アームレスト３Ｂ上に肘を載せた着座者の上腕部や胸部の表面に沿ってシート幅方向の外側から内側に向けて快適に当てることができる。詳しくは、上述した各吹出口４Ｂがシートバック２側の各張出部２Ａとシートクッション３側の各立壁部３Ａとの間に斜めに架け渡された各斜延部材４の管路４Ａからシート幅方向の内側に向けて風Ａを吹き出すようになっていることから、着座者が各アームレスト３Ｂ上に肘を載せた姿勢となっているか否かに拘わらず、各吹出口４Ｂから吹き出された風Ａを着座者の上腕部や胸部の表面に沿ってシート幅方向の外側から内側に向けて快適に当てることができるようになっている。
【００２９】
《まとめ》
以上をまとめると、本実施例の空調シート１は次のような構成とされている。すなわち、シート表面から風（Ａ）を吹き出すための吹出経路を備える空調シート（１）であって、着座者の肘置きとなるシート前後方向に延びるアームレスト（３Ｂ）と、アームレスト（３Ｂ）から上方に離れた離間領域上を後ろ上がり状に斜めに延びる斜延部材（４）と、斜延部材（４）とアームレスト（３Ｂ）との間に設定されたアームレスト（３Ｂ）への肘置きスペースを形成可能な逃がし部（５）と、を有する。斜延部材（４）が、内部に風（Ａ）を流すことのできる中空状の管路（４Ａ）と、管路（４Ａ）をシート幅方向の内側に開口させて風（Ａ）を吹き出せるようにする吹出口（４Ｂ）と、を有して吹出経路を構成している。
【００３０】
このように、内部に風（Ａ）を流すことのできる管路（４Ａ）と吹出口（４Ｂ）とを備える斜延部材（４）をアームレスト（３Ｂ）との間に逃がし部（５）を介在させて設けることにより、着座者のアームレスト（３Ｂ）に対する肘置きスペースを阻害することなく、シート側面方向から着座者の身体の表面を通って流れるような風（Ａ）を適切に吹き出せるようにすることができる。
【００３１】
また、斜延部材（４）が、シートバック（２）とシートクッション（３）との間に両端固定で斜めに架け渡された筋交いフレームとして構成されている。このような構成とされていることにより、斜延部材（４）によって空調シート（１）のフレーム強度を適切に高めることができる。
【００３２】
また、斜延部材（４）が、管路（４Ａ）内を通して他の管路へと風（Ａ）を送る送風経路ともなっている。このような構成とされていることにより、斜延部材（４）を利用して、他の管路への送風経路を合理的に簡素化することができる。
【００３３】
また、斜延部材（４）が、管路（４Ａ）内を流れる風（Ａ）を吹出口（４Ｂ）へ向けてシート幅方向の内側に曲げて排出するように案内するガイド部（４Ｃ）を更に有する。このような構成とされていることにより、管路（４Ａ）内を流れる風（Ａ）を、ガイド部（４Ｃ）によって吹出口（４Ｂ）から適切にシート幅方向の内側に向きを変えて吹き出すことができる。
【００３４】
また、斜延部材（４）の管路（４Ａ）が外部に露出する露出部となっている。このような構成とされていることにより、斜延部材（４）の外部に露出する管路（４Ａ）によって、着座者に接触冷感を感じさせられるようにすることができる。
【実施例２】
【００３５】
《空調シート１の概略構成について》
続いて、実施例２の空調シート１の構成について、図５を用いて説明する。本実施例では、各斜延部材４の管路４Ｍが、アルミニウム製の丸パイプ材によって構成されている。そして、各管路４Ｍ内には、各管路４Ｍ内の風Ａを複数の吹出口４Ｎからシート幅方向の内側に曲げて吹き出せるようにガイドする構造として、上流側から流される風Ａを下流側に向けて螺旋状に曲げて流すことのできる複数の固定フィン４Ｌが取り付けられている。ここで、各固定フィン４Ｌがそれぞれ本発明の「ガイド部」に相当する。
【００３６】
これら固定フィン４Ｌは、各管路４Ｍ内を上流側から下流側に向かってストレート状に流れる風Ａの向きを、各吹出口４Ｎより上流側の域で螺旋状に流れる向きに変換し、螺旋状の流れに変換した風Ａをその横方向成分によって各吹出口４Ｎからシート幅方向の内側に向かってより真っ直ぐ流せるように導くよう機能するようになっている。なお、上記以外の構成については、実施例１で示した構成と同じとなっているため、同一の符号を付して説明を省略することとする。
【００３７】
《まとめ》
以上をまとめると、本実施例の空調シート１は次のような構成とされている。すなわち、シート表面から風（Ａ）を吹き出すための吹出経路を備える空調シート（１）であって、着座者の肘置きとなるシート前後方向に延びるアームレスト（３Ｂ）と、アームレスト（３Ｂ）から上方に離れた離間領域上を後ろ上がり状に斜めに延びる斜延部材（４）と、斜延部材（４）とアームレスト（３Ｂ）との間に設定されたアームレスト（３Ｂ）への肘置きスペースを形成可能な逃がし部（５）と、を有する。斜延部材（４）が、内部に風（Ａ）を流すことのできる中空状の管路（４Ｍ）と、管路（４Ｍ）をシート幅方向の内側に開口させて風（Ａ）を吹き出せるようにする吹出口（４Ｎ）と、を有して吹出経路を構成している。
【００３８】
このように、内部に風（Ａ）を流すことのできる管路（４Ｍ）と吹出口（４Ｎ）とを備える斜延部材（４）をアームレスト（３Ｂ）との間に逃がし部（５）を介在させて設けることにより、着座者のアームレスト（３Ｂ）に対する肘置きスペースを阻害することなく、シート側面方向から着座者の身体の表面を通って流れるような風（Ａ）を適切に吹き出せるようにすることができる。
【００３９】
また、斜延部材（４）が、管路（４Ｍ）内を通して他の管路へと風（Ａ）を送る送風経路ともなっている。このような構成とされていることにより、斜延部材（４）を利用して、他の管路への送風経路を合理的に簡素化することができる。
【００４０】
また、斜延部材（４）が、管路（４Ｍ）内を流れる風（Ａ）を吹出口（４Ｎ）へ向けてシート幅方向の内側に曲げて排出するように案内するガイド部（４Ｌ）を更に有する。このような構成とされていることにより、管路（４Ｍ）内を流れる風（Ａ）を、ガイド部（４Ｌ）によって吹出口（４Ｎ）から適切にシート幅方向の内側に向きを変えて吹き出すことができる。
【００４１】
また、斜延部材（４）の管路（４Ｍ）が外部に露出する露出部となっている。このような構成とされていることにより、斜延部材（４）の外部に露出する管路（４Ｍ）によって、着座者に接触冷感を感じさせられるようにすることができる。
【実施例３】
【００４２】
《空調シート１の概略構成について》
続いて、実施例３の空調シート１の構成について、図６〜図７を用いて説明する。本実施例では、空調シート１に対して、更に、各側のアームレスト３Ｂへの肘置きスペースとなる隙間５（本発明の「逃がし部」に相当する。）の周囲部を構成する斜延部材４と立壁部３Ａと張出部２Ａとの間に、各側の隙間５をシート幅方向の外側から被覆する樹脂製板状の被覆カバー５Ａが取り付けられている。上記被覆カバー５Ａは、図７に示すように、シート幅方向の外側に凸湾曲状に膨らんだ曲板形状に形成されており、各側の隙間５をシート幅方向の外側から見栄え良く被覆しつつ、着座者が各側の肘を肘置きスペースとなる隙間５内に入り込ませる動きを邪魔しない構成とされている。なお、上記以外の構成については、実施例１で示した構成と同じとなっているため、同一の符号を付して説明を省略することとする。
【実施例４】
【００４３】
《空調シート１の概略構成について》
続いて、実施例４の空調シート１の構成について、図８〜図９を用いて説明する。本実施例では、空調シート１に対して、更に、各側のアームレスト３Ｂへの肘置きスペースとなる隙間５（本発明の「逃がし部」に相当する。）の周囲部を構成する斜延部材４と立壁部３Ａと張出部２Ａとの間に、各側の隙間５をシート幅方向の外側から被覆する面状の被覆カバー５Ｂが取り付けられている。上記被覆カバー５Ｂは、図７に示すように、伸張性に富む弾性面材により構成されており、着座者が各側の肘を肘置きスペースとなる隙間５内に入り込ませる前の常時は、各側の隙間５を平面状に張設された面形状によりシート幅方向の外側から見栄え良く被覆した状態として保持するが、着座者が各側の肘を肘置きスペースとなる隙間５内に入り込ませる動きにより弾性的に外側に押し撓まされて着座者が肘を置く動作を邪魔しない構成とされている。なお、上記以外の構成については、実施例１で示した構成と同じとなっているため、同一の符号を付して説明を省略することとする。
【００４４】
以上、本発明の実施形態を４つの実施例を用いて説明したが、本発明は上記実施例のほか各種の形態で実施することができるものである。例えば、本発明の空調シートは、家具等の乗物以外に供されるシートの他、自動車や鉄道等の車両又は航空機、船舶等を含む様々な乗物用に供されるシートにも広く適用することができるものである。また、斜延部材とアームレストとの間に設定されるアームレストへの肘置きスペースを形成するための逃がし部は、斜延部材とアームレストとの間に開口状の隙間を形成したり上記の隙間に外側から各種カバーによって被覆したりする構成以外にも、斜延部材とアームレストとの間に立壁が設定される構成において、同立壁をアームレストへの肘置きスペースを形成可能に凹ませた凹部として形成されたものであってもよい。
【００４５】
また、斜延部材は、シートバックの側部から前側へ延び出すタイプのアームレストから上方に離れた離間領域上を後ろ上がり状に斜めに延びるように設けられる構成であってもよい。また、斜延部材は、シートバックとシートクッションとの間に両端固定で架け渡し状に設けられる構成の他、どちらか一方から片持ち状に支持された状態として張り出すように設けられる構成であってもよい。上記斜延部材は、必ずしもシートバックとシートクッションとの間に両端固定で斜めに架け渡される筋交いフレームとして構成されるものでなくてもよく、単に、アームレストから上方に離れた離間領域上を後ろ上がり状に斜めに延びるように設けられて、その位置からシート幅方向の内側に向けて風を吹き出す用途として設けられるものであってもよい。
【００４６】
また、上記斜延部材の外部に露出する管路は、銅やアルミニウム等の熱伝導率の高い材料から成るものを用いることで着座者に接触温冷感を感じさせやすくすることができるが、樹脂やゴムその他の金属材料から成るものであっても構わない。また、上記斜延部材の管路の断面形状は特定の形に限定されず、様々な断面形状から成るものを適用することができる。
【符号の説明】
【００４７】
１      空調シート
２      シートバック
２Ａ    張出部
３      シートクッション
３Ａ    立壁部
３Ｂ    アームレスト
４      斜延部材
４Ａ    管路
４Ｂ    吹出口
４Ｃ    固定ひれ（ガイド部）
４Ｍ    管路
４Ｎ    吹出口
４Ｌ    固定フィン（ガイド部）
５      隙間（逃がし部）
５Ａ    被覆カバー
５Ｂ    被覆カバー
Ｃ      空調装置
Ａ      風
【図１】
2019088718.tif 000003
【図２】
2019088718.tif 000004
【図３】
2019088718.tif 000005
【図４】
2019088718.tif 000006
【図５】
2019088718.tif 000007
【図６】
2019088718.tif 000008
【図７】
2019088718.tif 000009
【図８】
2019088718.tif 000010
【図９】
2019088718.tif 000011